(57)【特許請求の範囲】
【請求項１】
ラッチ錠を備えた扉の壁面に所定間隔を有して固定される一組の台座と、これらの台座に架設した状態で両端部が支持されると共に付勢バネにより初期位置に付勢されたハンドルと、このハンドルを扉の開く方向へプルすると、ハンドルの一端部を軸支する枢軸が支点となって前記台座の一方の台座に第１固定軸を介して軸支されかつ該ハンドルの他端部に連結された作動リンクの可動ピンが台座の外方向へ所定量位置変位すると共に、該作動リンクに連動するように前記一方の台座に第２固定軸を介して軸支された連動レバーとから成るラッチ錠用のハンドル装置であって、前記作動リンクはテコ式の長杆片であり、前記第１固定軸を基準として、その長梃側端部が前記ハンドルの一端部に前記可動ピンに軸支されていると共に、その基端部側に作動係合歯が形成され、また連動レバーもテコ式の長杆片であり、第２固定軸を基準として、その長梃部分の先端部がラッチ錠の駆動体に係合すると共に、その基端部側に前記作動係合歯に常時係合する従動係合歯が形成されていることを特徴とするラッチ錠用ハンドル装置。
【請求項２】
請求項１に於いて、第２固定軸は、第１固定軸に対して所定間隔離間して一方の台座の外向き凹所を形成するベース板の近傍に設けられ、また連動レバーの長梃部分は折り曲げ形成されていることを特徴とするラッチ錠用ハンドル装置。
【請求項３】
請求項１に於いて、ラッチ錠の錠箱内には前記駆動体の駆動力によって作動する摺動制御体及び該摺動制御体に連動する押圧体を備えた内外気圧差解消装置が組み込まれていることを特徴とするラッチ錠用ハンドル装置。
【請求項４】
ラッチ錠を備えた扉の壁面に所定間隔を有して固定される一組の台座と、これらの台座に架設した状態で両端部が支持されると共に付勢バネにより初期位置に付勢されたハンドルと、このハンドルを扉の開く方向へプッシュすると、ハンドルの一端部を軸支する枢軸が支点となって前記台座の一方の台座に第１固定軸を介して軸支されかつ該ハンドルの他端部に連結された作動リンクの可動ピンが台座の内方向へ所定量位置変位すると共に、該作動リンクに連動するように前記一方の台座に第２固定軸を介して軸支された連動レバーとから成るラッチ錠用のハンドル装置であって、前記作動リンクはテコ式の長杆片であり、前記第１固定軸を基準として、その長梃側端部が前記ハンドルの一端部に前記可動ピンを介して軸支されていると共に、その基端部側に作動係合歯が形成され、また連動レバーもテコ式の長杆片であり、第２固定軸を基準として、その長梃部分の先端部が前記ラッチ錠の駆動体に係合すると共に、その基端部側に前記作動係合歯に常時係合する従動係合歯が形成されていることを特徴とするラッチ錠用ハンドル装置。
【請求項５】
請求項４に於いて、動力変換手段としての歯車が、作動係合歯と従動係合歯との間に介在していることを特徴とするラッチ錠用ハンドル装置。
【発明の詳細な説明】
【技術分野】
【０００１】
本発明はラッチ錠用のハンドル装置に関し、例えば一端部が台座に軸支された室外側のハンドルを、扉の開く方向へ引く（プルする）際、一端部の枢軸を支点にハンドルが所定角度まで傾倒するハンドル揺動型のラッチ錠用ハンドル装置に関する。
【背景技術】
【０００２】
特許文献１の第１図に於いて、ラッチ錠Ｂを備えた扉Ａの右壁面（外壁面）に、上下方向に所定間隔を有して固定される上下一組の台座３、４と、これらの台座に架設した状態で両端部が支持されると共に付勢バネにより初期位置に付勢された室外側ハンドル１と、前記上方の台座４の内部に中間部が軸支されていると共に、その下端部側に相当する受動部７ａが前記室外側ハンドル１の折り曲げ自由端部に係合し、かつ、水平部側に相当する係合部が扉の外壁面に形成した開口部を介して前記ラッチ錠Ｂの錠箱内に突出状態に臨むＬ字形状の作動片７とから成るラッチ錠用のハンドル装置が開示されている（符号は文献に記載のもの）。
【０００３】
このラッチ錠用のハンドル装置（特許文献１では、プッシュプル・プル錠のハンドル装置）は、ハンドル揺動型のもので、前記室外側ハンドル１を扉Ａの開く方向（図面では符合のイ）へプルすると、ハンドルの一端部を軸支する枢軸１ａが支点となって室外側ハンドル１の自由端部が室外方向へ所定量位置変位する。
該特許文献１に記載されているように、室外側ハンドル１のプルの操作力によって、作動片７が回転すると、ラッチ錠Ｂの錠箱内に組み込まれたラッチ操作部材（駆動カム）を介してラッチの後退或いは後退動を許容させてラッチ錠Ｂを解錠する共に、扉Ａをプルする方向へと開くことができる。
【０００４】
ところで、特許文献１の実施例を含め、ハンドル揺動型のラッチ錠用ハンドル装置は、ハンドルの作動方向の力が全て扉を開放させる力として作用させるので、台座内に軸支された作動片を回動させかつ扉を開放するのに要する力は比較的小さくて良いという利点がある。
【０００５】
しかしながら、ラッチ錠のラッチ操作部材（駆動カム）やラッチ解錠制御部材、さらに、錠箱内に組み込まれた他の装置（例えば内外気圧差解消装置）を構成する摺動制御部材等にハンドルの作動方向の力を同時に分散させて伝える場合には、その分、ハンドルを強く操作する必要がある。そこで、ハンドル揺動型のラッチ錠用ハンドル装置の利点を生かしつつ、ラッチ錠のラッチ操作部材（駆動カム）を介して、ラッチ錠の複数個の装置にハンドルの作動方向の力を同時に分散させて伝える場合に相応しい新規なハンドル揺動型のラッチ錠用ハンドル装置の出現が要望されている。
【先行技術文献】
【特許文献】
【０００６】
【特許文献１】実用新案登録第２５２９２６３号公報
【発明の概要】
【発明が解決しようとする課題】
【０００７】
本願発明の所期の目的は、ハンドル揺動型のラッチ錠用ハンドル装置の利点を生かしつつ、ラッチ錠のラッチ操作部材（駆動カム）を介して、複数個の装置にハンドルの作動方向の力を同時に分散させて伝える場合に相応しい新規なハンドル揺動型のラッチ錠用ハンドル装置を提供することである。具体的には、ハンドル揺動型のラッチ錠用ハンドル装置の利点を減殺しないように、複数個のテコ式のリンクを組み合わせ、ハンドルを軽くプル又はプッシュしても、台座に設けた連動レバー、動力変換手段及び作動リンクがスムースに回転してラッチ錠の駆動体を作動させることである。本願発明の第２の目的は、作動リンクの回転力を、動力変換手段を介して、連動レバーの上下方向（実施態様によっては左右方向）の振幅（ストローク）の量の拡大に変換させることができることである。
【課題を解決するための手段】
【０００８】
本願発明のラッチ錠用のハンドル装置は、ラッチ錠を備えた扉の壁面に所定間隔を有して固定される一組の台座と、これらの台座に架設した状態で両端部が支持されると共に付勢バネにより初期位置に付勢されたハンドルと、このハンドルを扉の開く方向へプルすると、ハンドルの一端部を軸支する枢軸が支点となって前記台座の一方の台座に第１固定軸を介して軸支されかつ該ハンドルの他端部に連結された作動リンクの可動ピンが台座の外方向へ所定量位置変位すると共に、該作動リンクに連動するように前記一方の台座に第２固定軸を介して軸支された連動レバーとから成るラッチ錠用のハンドル装置であって、前記作動リンクはテコ式の長杆片であり、前記第１固定軸を基準として、その長梃側端部が前記ハンドルの一端部に前記可動ピンに軸支されていると共に、その基端部側に作動係合歯が形成され、また連動レバーもテコ式の長杆片であり、第２固定軸を基準として、その長梃部分の先端部がラッチ錠の駆動体に係合すると共に、その基端部側に前記作動係合歯に常時係合する従動係合歯が形成されていることを特徴とする。
【０００９】
また、本願発明のラッチ錠用のハンドル装置は、ラッチ錠を備えた扉の壁面に所定間隔を有して固定される一組の台座と、これらの台座に架設した状態で両端部が支持されると共に付勢バネにより初期位置に付勢されたハンドルと、このハンドルを扉の開く方向へプッシュすると、ハンドルの一端部を軸支する枢軸が支点となって前記台座の一方の台座に第１固定軸を介して軸支されかつ該ハンドルの他端部に連結された作動リンクの可動ピンが台座の内方向へ所定量位置変位すると共に、該作動リンクに連動するように前記一方の台座に第２固定軸を介して軸支された連動レバーとから成るラッチ錠用のハンドル装置であって、前記作動リンクはテコ式の長杆片であり、前記第１固定軸を基準として、その長梃側端部が前記ハンドルの一端部に前記可動ピンを介して軸支されていると共に、その基端部側に作動係合歯が形成され、また連動レバーもテコ式の長杆片であり、第２固定軸を基準として、その長梃部分の先端部が前記ラッチ錠の駆動体に係合すると共に、その基端部側に前記作動係合歯に常時係合する従動係合歯が形成されていることを特徴とするラッチ錠用ハンドル装置。
【発明の効果】
【００１０】
（ａ）ハンドル揺動型のラッチ錠用ハンドル装置の利点を生かしつつ、ラッチ錠のラッチ操作部材（駆動カム）を介して、複数個の装置にハンドルの作動方向の力を同時に分散させて伝える場合に相応しい新規なハンドル揺動型のラッチ錠用ハンドル装置を提供することができる。
（ｂ）具体的には、ハンドル揺動型のラッチ錠用ハンドル装置の利点を減殺しないように、複数個のテコ式のリンクを組み合わせ、ハンドルを軽くプル又はプッシュしても、台座に設けた連動レバー、動力変換手段及び作動リンクがスムースに回転してラッチ錠の駆動体が作動する。
（ｃ）作動リンクの回転力を、動力変換手段を介して、連動レバーの上下方向（実施態様によっては左右方向）の振幅（ストローク）の量の拡大に変換させることができる。特に、動力変換手段として、作動係合歯と、該作動係合歯に噛合する従動係合歯を用いたので、それらの係合半径を自由に設計することにより、連動レバーの振幅（ストローク）の量を所望する所まで拡大することができる。
【図面の簡単な説明】
【００１１】
図１乃至図１４は本発明の第１実施形態を示す各説明図。図１５至図１８は本発明の第２実施形態を示す各説明図。図１９乃至図２１は本発明の第３実施形態を示す各説明図。
【図１】第１実施形態のハンドル装置の使用状態を示す説明図（扉の外壁面側）。
【図２】扉の自由端面側から見た説明図（プル側とプッシュ側の両方を含む）。
【図３】他の装置（例えば内外気圧差解消装置）を備えたラッチ錠の一例を示す概略説明図。
【図４】プル側のハンドル装置の扉の自由端面側から見た説明図。
【図５】図４を参照にした一部概略断面説明図（初期位置の状態）。
【図６】プル側のハンドル装置の主要部の説明図。
【図７】上方の台座の正面図。
【図８】図７の８−８線概略断面説明図。
【図９】要部（ハンドルの自由端部と作動リンク）の説明図。
【図１０】要部（作動リンクと連動レバー）の説明図。
【図１１】図５の初期位置の状態から、主要部の作動状態を示す説明図。
【図１２】ハンドルを完全にプルした状態を示す説明図。
【図１３】作動リンクと連動レバーの回転半径の相違に基づく振幅（ストローク）の差の説明図。
【図１４】ハンドルの作動方向の力を他の装置（例えば内外気圧差解消装置）に伝える概略説明図。
【図１５】第２実施形態のプッシュ側のハンドル装置の説明図（扉の内壁面側に装着）。
【図１６】図１５を参照にした一部概略断面説明図（初期位置の状態）。
【図１７】主要部の作動状態を示す説明図。
【図１８】ハンドルを完全にプッシュした状態を示す説明図。
【図１９】第３実施形態のプッシュ側のハンドル装置の説明図（扉の内壁面側に装着）。
【図２０】図１９を参照にした一部概略断面説明図（初期位置の状態）。
【図２１】ハンドルを完全にプッシュした状態を示す説明図。
【発明を実施するための最良の形態】
【００１２】
図１乃至図１４は本発明の第１実施形態を示す各説明図である。まず、図１は扉の外壁面側から見たラッチ錠用ンドル装置の環境を示す概略説明図である。この図に於いて、Ｆは建物の床面、１は扉枠、３は扉２の自由端部に埋設固定されたラッチ錠、４は扉の外壁面２ａに突出状態に固定された一方（上方）の台座、５は一方の台座に対応するように所定間隔を有して扉２の外壁面２ａに固定された他方（下方）の台座、６は上方台座４と下方台座５に架設した状態で両端部が支持されると共に、付勢バネにより初期位置に付勢された外側のハンドルである。なお、前記一方（上方）の台座４と、他方（下方）の台座５は、左右に配設しても良い。
【００１３】
周知のように、扉２は扉枠１の吊元側の縦枠１ａに上下一対の蝶番７，７を介して水平方向に開閉自在に取り付けられている。また、ラッチ錠３の錠箱から突出するラッチ８や、後述する内外気圧差解消装置Ｚのスイング式押圧体９は、扉枠１の自由端部側の縦枠１ｂに固定的に設けた錠受け１０にそれぞれ係脱や押圧できるように錠箱に設けられている。またラッチ錠３は、扉の自由端部の開放面の前部から後部に向けて埋設状態に取り付けられ、錠箱内に回動可能に設けられた駆動片（ラッチカム）は、例えば外側のハンドル６を扉１の開く方向（図１では手前に）へプルすると、後述する作動リンク及び連動レバーを介してラッチ８の回転を許容する方向並びに内外気圧差解消装置のスイング式押圧体９を錠受け１０に対して押圧する方向へと所定量回転する（図１４参照）。
【００１４】
次に、図２は扉の自由端面側から見た説明図で、この図２を基準にすると、図の左側が室外で、一方、図の右側が室内である。したがって、図の左側に相当する扉２の外壁面２ａにプル側のハンドル装置Ｘが装着され、一方、図の右側に相当する扉２の内壁面２ｂにプッシュ側のハンドル装置Ｙが装着されている。
【００１５】
なお、図２に於いて、４４は一方（上方）の台座、４５は一方の台座に対応するように所定間隔を有して扉２の内壁面２ｂに固定された他方（下方）の台座、４６は上方台座４４と下方台座４５に架設した状態で両端部が支持されると共に、図示しない付勢バネにより初期位置に付勢された内側のハンドルである。このプッシュ側のハンドル装置Ｙの構成は、プル側のハンドル装置Ｘと実質的に同一又は異なるものであっても良い。
【００１６】
次に、図３は、例えば内外気圧差解消装置Ｚを備えたラッチ錠３の一例を示す概略説明図である。ラッチ錠３の構成及び作用は周知事項なので、ここでは図３を参照にして簡単に説明する。１１は錠箱、１２は幅広側壁の後壁寄りの部位に縦方向に形成された後述の連動レバー用開口、１３は錠箱１１内の回動可能に設けられた駆動体（ラッチカム）である。前記駆動体（駆動片）１３は、環状の周壁部分に複数個の係合部或いは係合凹凸部分を有している。例えば１３ａは連動レバーと係合する受動突起部、１３ｂはラッチ８の一例としての反転ラッチ用の係止機構１４を構成する係止腕１４ａの一方と係脱する係合凹凸部分、１３ｃは長杆状駆動腕である。内外気圧差解消装置Ｚの具体記構成は、本発明の独立特定要件ではないが、ここで内外気圧差解消装置Ｚの一例を説明する。
【００１７】
内外気圧差解消装置Ｚは、例えば駆動体１３の長杆状駆動腕１３ｃの前に水平移動可能に設けられた摺動制御体１５と、この摺動制御体１５と共働するように組み合わせられたスイング式押圧体１６と、該スイング式押圧体１６用付勢手段１７と、連結手段としてのスイング式押圧体用支軸１８等を備えている。付言すると、前記摺動制御体１５は、その後端部が該駆動カム１３の長杆状駆動腕１３ａと係合し、かつ該長杆状駆動腕１３ａの駆動力により錠箱１１のフロント１１ａ側へ付勢手段１７の付勢力に抗してスライド可能である。
【００１８】
また、前記スイング式押圧体１６は、前記摺動制御体１５の押圧先端部にその内端部が被係合部を介して連係されていると共に、垂直軸１８を介して連結軸支され、かつ、その先端部側に前記フロントから常に突出する係合先端部を有する。そして、内外気圧差解消装置Ｚは、開扉時、操作手段の操作力によって作動する前記駆動カム１３及び摺動制御体１５を介して前記スイング式押圧体１６の係合先端部が扉枠側の当接部に圧接すると、該圧接力に基づく反力は扉自体を開く方向へ作用する（図１４参照）。
【００１９】
次に、図４はプル側のハンドル装置Ｘの扉２の自由端面側から見た説明図、図５は図４を参照にした一部概略断面説明図（初期位置の状態）、図６はプル側のハンドル装置Ｘの主要部の説明図である。第１実施形態のプル側のハンドル装置Ｘは、ラッチ錠３を備えた扉２の外壁面２ａに上下方向に所定間隔を有して固定される上下一組の台座４，５と、これらの台座４，５に架設した状態で両端部が支持されると共に、台座４内の付勢バネ２１により初期位置に付勢された外側ハンドル６と、該外側ハンドル６の下端部６ａを、連結突片２２を介して軸支する枢軸２３と、一方、内外に位置変位する可動端部２７ａが前記外側ハンドル６の自由端部６ｂ側の連結突片２２及び可動ピン２４を介して枢着されていると共に、その下端部に相当する基端部が上方台座４の凹所内（空間部）に横設軸架された第１固定軸２５に軸支され、その中間部がストッパー機能を有するガイド手段２６に案内される作動リンク２７と、この作動リンク２７の基端部側に形成された作動係合歯２７ｂと噛合する従動係合歯３０ｂが基端部側に形成されていると共に、前記第１固定軸２５と別個の第２固定軸２９に軸支され、かつ、前記作動リンク２７に連動すると共にラッチ錠の駆動片と係合する長梃部分３０ａを有する連動レバー３０とから成る。
【００２０】
付言すると、本願発明のラッチ錠用のハンドル装置Ｘは、ラッチ錠３を備えた扉２の一側壁面に所定間隔を有して固定される一組の台座４，５と、これらの台座に架設した状態で両端部が支持されると共に付勢バネ２１により初期位置に付勢されたハンドル６と、このハンドルを扉２の開く方向へプルすると、ハンドル６の一端部を軸支する枢軸２３が支点となって前記台座の一方の台座４に第１固定軸２５を介して軸支され、かつ、該ハンドル６の自由端部６ｂに連結された作動リンク２７の可動ピン２４が台座４の外方向へ所定量位置変位すると共に、該作動リンク２７に連動するように前記一方の台座４に第２固定軸２９を介して軸支されたラッチ錠３の駆動体１３を作動させるための連動レバー３０とから成る。
【００２１】
そして、（ａ）前記作動リンク２７はテコ式の長杆片であり、台座４の空間部３１内に支持板を介して、又は介さないで横設軸架された第１固定軸２５を基準として、その長梃側端部がハンドル６の自由端部６ｂに作用点としての可動ピン２４に軸支されていると共に、その基端部側に作動係合歯２７ｂが形成され、（ｂ）また、前記連動レバー３０もテコ式の長杆片であり、第１固定軸２５よりも台座４の取付けベース面４ａ側に位置するように該台座４の空間部３１内に支持板を介して、又は介さないで横設軸架された第２固定軸２９を基準として、その長梃部分３０ａの先端部がラッチ錠３の駆動体１３に押圧係合すると共に、その基端部側に前記作動係合歯２７ｂに常時係合する従動係合歯３０ｂが形成されており、（ｃ）さらに、前記連動レバー３０の回転半径は、前記作動リンク２７の回転半径よりも短い。
【００２２】
次に、図７は上方台座４の正面図、図８は図７の８−８線概略断面説明図である。本実施例では、図５、図１１、図１２等で示すように、上方台座４も下方台座５も、取付けベース４ａ、５ａの反対側の外壁弧状面に外向き凹所（空間部分）３１，３２がそれぞれ形成され、これらの外向き凹所３１，３２内に外側ハンドル６の両端部の一部又は全部が隠蔽状態に入り込んでいる。これは意匠上の美観性、考案上のハンドルの把持部分の範囲性等を考慮したものである。
【００２３】
しかして、本実施例では、例えば図６で示すように、支持機能及びガイド機能を有する単数又は複数の支持板３９を介して上方台座４の外向き凹所３１内に作動リンク２７と連動レバー３０をそれぞれ基端部が係合するように組み込むので、該上方台座４の適宜箇所には、ガイド手段２６の一方を構成する案内長孔２６ａ、第１固定軸用軸孔３４、第２固定軸用軸孔３５及び連動レバー３０用開口３６がそれぞれ適宜部位に形成されている。
【００２４】
ところで、前記案内長孔２６ａに案内されるガイド手段２６の他方を構成する部材は、例えば図６、図９等で示すように、作動リンク２７の中央部に突設された係合ピン２６ｂである。また第２固定軸２９は、第１固定軸２５に対して所定間隔離間して上方台座４のベース板４ａの近傍に設けられていると共に、連動レバー３０の長梃部分は、「く」の字形状（鈍角、アングル形状）に折り曲げ形成され、例えば図６で示すように、連動レバー用開口３６から突出して錠箱１１内の駆動体（ラッチカム）１３の受動突起部１３ａに係合するように臨んでいる。
【００２５】
次に、図９は要部（ハンドルの自由端部と作動リンク）の説明図、図１０は要部（作動リンクと連動レバー）の説明図である。ハンドル６は、縦長状或いは横長状に形成され、その両端部６ａ、６ｂの内側には連結突片２２、２２がそれぞれ一体に形成され或いは固定されている。各連結突片２２、２２には不番の軸孔が形成されている。作動レバー２７の長梃側部分に相当する可動端部２７ａには可動ピン用の不番の非円形の軸孔が形成されていると共に、その中間部にはガイド手段２６を構成する係合ピン２６ｂが設けられている。そして、第１固定軸２５に軸支される基端部には前述した作動係合歯２７ｂが形成されている。連動レバー３０の形状は、全体として「ヘの字」形状であるが、ブーメラン形状、Ｌ字形状等、発明の目的を逸脱しない範囲内で設計変更することができる。もちろん、作動係合歯２７ｂと従動係合歯３０ｂの半径・歯車比等についても自由に設計変更することができる。
【００２６】
次に、図１１は図５の初期位置の状態からハンドルを矢印方向へプルした主要部の作動状態を示す説明図、図１２はハンドルを完全にプルした全体の説明図である。これらの図は、ハンドル６を扉２の開く方向へプルすると、ハンドル６の一端部を軸支する枢軸２３が支点となって台座の一方（上方）の台座４に第１固定軸２５を介して軸支され、かつ、該ハンドルの他端部に連結された作動リンク２７の可動ピン２４が上方台座４の外方向へ所定量位置変位すると共に、該作動リンク２７に連動するように前記上方台座４に第２固定軸２９を介して軸支された連動レバー３０が、作動係合歯２７ｂと従動係合歯３０ｂ（動力変換手段）を介して、ラッチ錠３の駆動体１３を解錠方向へ所定量回転することを示す。この時、前述したように、内外気圧差解消装置Ｚも作動可能である（図１４参照）。
【００２７】
また、図１３は作動リンク２７と連動レバー３０の回転半径の相違に基づく振幅（ストローク）の差の説明図である。図１３は、半径の長い部材である作動リンク２７と、それよりも半径の短い部材である連動レバー３０、これらの基端部に形成された作動係合歯２７ｂと従動係合歯３０ｂの半径・歯車比、それに、前記連動レバー３０の折り曲げ角度を考慮しながら設計変更すると、作動リンク２７の水平方向の振幅ａを大きくすることにより、連動レバー３０の上下方向の振幅ｂを所望する範囲まで拡大することができることを示す。
【実施例】
【００２８】
この欄では第１実施形態の変形例を示す。そこで、第１実施形態の構成と同一の部分には、同一の符号を付して重複する説明を省略する。図１５至図１８は本発明の第２実施形態を示す各説明図である。この第２実施形態が前記第１実施形態と主に異なる点は、（ａ）第１実施形態のハンドル６は、外側ハンドルであって、扉の開く方向へ引く（プル）するものであるのに対して、第２実施形態のハンドル６Ａは、内側ハンドルであって、扉の開く方向へ押す（プッシュ）するものである点、（ｂ）したがって、作動リンク２７の可動ピン２４が上方台座４Ａの内方向へ所定量位置変位する点、（ｃ）また、ハンドル装置Ｙがプッシュ側のそれとして扉２の内壁面２ｂに装着されているため、作動レバー２７が図面上反時計方向に回転する点は同様であるが、連動リンク３０が図面上時計方向に回転して、該連動リンク３０の長梃部分３０ａの先端部がラッチ錠の駆動体１３の受動部突起１３ａを上方に移動させる点である。
【００２９】
したがって、この第２実施形態のラッチ錠用ハンドル装置Ｙは、ラッチ錠３を備えた扉２の壁面に所定間隔を有して固定される一組の台座４Ａ、５Ａと、これらの台座に架設した状態で両端部が支持されると共に付勢バネにより初期位置に付勢されたハンドル６Ａと、このハンドルを扉の開く方向へプッシュすると、ハンドルの一端部を軸支する枢軸２３が支点となって前記台座の一方の台座４Ａに第１固定軸２５を介して軸支されかつ該ハンドルの他端部に連結された作動リンク２７の可動ピン２４が台座４Ａの内方向へ所定量位置変位すると共に、該作動リンク２７に連動するように前記一方の台座４Ａに第２固定軸２９を介して軸支された前記ラッチ錠３の駆動体１３を作動させるための連動レバー３０とから成るラッチ錠用のハンドル装置であって、前記作動リンク２７はテコ式の長杆片であり、前記第１固定軸２５を基準として、その長梃側端部２７ａが前記ハンドル６Ａの一端部に前記可動ピン２４に軸支されていると共に、その基端部側に作動係合歯２７ｂが形成され、また、前記連動レバー３０もテコ式の長杆片であり、前記第２固定軸２９を基準として、その長梃部分３０ａの先端部が前記ラッチ錠３の駆動体１３に係合すると共に、その基端部側に前記作動係合歯に常時係合する従動係合歯３０ｂが形成されており、さらに、前記連動レバー３０の回転半径は、前記作動リンク２７の回転半径よりも短い構成である。
【００３０】
また、図１９乃至図２１は本発明の第３実施形態を示す各説明図である。この第３実施形態は前記第２実施形態を前提とするもので、第１実施形態と同様にラッチ錠の駆動体１３の受動部突起１３ａを下方に移動させるために、動力変換手段としての歯車４９が、作動リンク２７の作動係合歯２７ｂと連動レバー３０の従動係合歯３０ｂとの間に介在している。このように構成しても、これらの各実施形態は、第１実施形態と同一の目的を達成することができる。
【産業上の利用可能性】
【００３１】
本発明は錠前や建具の分野で利用することができる。
【符号の説明】
【００３２】
Ｘ…プル側のハンドル装置、Ｙ…プッシュ側のハンドル装置、Ｚ…内外気圧差解消装置、１…扉枠、２…扉、２ａ…外壁面、２ｂ…内壁面、３…ラッチ錠、４…上方台座、５…下方台座、６…外側ハンドル、８…ラッチ、９…スイング式押圧体、１０…錠受け、１１…錠箱、１３…駆動片（ラッチカム）、１３ａ…受動突起部、１３ｃ…駆動腕、１５…摺動制御体、１６…押圧体、１７…付勢手段、２１…付勢バネ、２３…枢軸、２４…可動ピン、２５…第１固定軸、２６…ガイド手段、２６ａ…案内長孔、２７…作動リンク、２７ａ…可動端部、２７ｂ…作動係合歯、２９…第２固定軸、３０…連動レバー、３０ａ…長梃部分、３０ｂ…従動係合歯、３１…上方台座の凹所、３２…下方台座の凹所、３４…第１固定軸２５用軸孔、３５…第２固定軸２９用軸孔、３６…連動レバー３０用開口。
【図１】
0005608104.tif 000002
【図２】
0005608104.tif 000003
【図３】
0005608104.tif 000004
【図４】
0005608104.tif 000005
【図５】
0005608104.tif 000006
【図６】
0005608104.tif 000007
【図７】
0005608104.tif 000008
【図８】
0005608104.tif 000009
【図９】
0005608104.tif 000010
【図１０】
0005608104.tif 000011
【図１１】
0005608104.tif 000012
【図１２】
0005608104.tif 000013
【図１３】
0005608104.tif 000014
【図１４】
0005608104.tif 000015
【図１５】
0005608104.tif 000016
【図１６】
0005608104.tif 000017
【図１７】
0005608104.tif 000018
【図１８】
0005608104.tif 000019
【図１９】
0005608104.tif 000020
【図２０】
0005608104.tif 000021
【図２１】
0005608104.tif 000022